(57)【特許請求の範囲】
【請求項１】
レンズ装置に着脱可能なレンズフードであって、
第１の内径部および第２の内径部を備え、前記第１の内径部には前記レンズ装置の先端が挿入可能であり、弾性材料により形成されたフード枠と、
前記フード枠の前記第１の内径部の内周面の一部を前記レンズ装置の前記先端の外周面の一部に付勢して、前記レンズ装置の前記先端に前記フード枠を固定するフード固定手段と、
前記フード枠の前記第２の内径部に回動可能に挿入された、光学フィルタが取付け可能な回転リングと、
前記回転リングを前記第２の内径部に付勢する付勢手段と、を備え、
前記レンズ装置の前記先端の外径と前記第１の内径部の内径との差よりも、前記第２の内径部の内径と前記回転リングの外径との差の方が大きい、
ことを特徴とするレンズフード。
【請求項２】
前記付勢手段は、前記回転リングの外周面の一部を前記第２の内径部の内周面の一部に付勢する、ことを特徴とする請求項１に記載のレンズフード。
【請求項３】
前記付勢手段は、前記第２の内径部の一部に配置され、前記回転リングの外周面の一部を前記第２の内径部の内周面の一部に付勢する弾性部材を含む、ことを特徴とする請求項２に記載のレンズフード。
【請求項４】
前記第２の内径部は、前記第１の内径部に近づくにしたがって内径が小さくなる第１テーパー面を備え、
前記付勢手段は、前記回転リングを前記第１テーパー面に付勢する弾性部材を含む、
ことを特徴とする請求項２に記載のレンズフード。
【請求項５】
前記回転リングは、前記第１テーパー面に接触する第２テーパー面を備え、
前記弾性部材は、前記回転リングの前記第２テーパー面を前記第２の内径部の前記第１テーパー面に付勢する、
ことを特徴とする請求項４に記載のレンズフード。
【請求項６】
前記弾性部材は、ウェーブワッシャを含む、ことを特徴とする請求項４又は５に記載のレンズフード。
【請求項７】
前記回転リングは、操作部を備え、
前記フード枠は、前記操作部を貫通させて前記フード枠の径方向における前記フード枠の外側に前記操作部を突出させる開口部を有する、
ことを特徴とする請求項１乃至６のうちいずれか１項に記載のレンズフード。
【請求項８】
前記フード固定手段は、前記第１の内径部をその径方向に貫通するねじ穴に螺合する構造を有し、前記フード枠の径方向において進退可能である、ことを特徴とする請求項１乃至７のうちいずれか１項に記載のレンズフード。
【請求項９】
その先端に、請求項１乃至８のうちいずれか１項に記載のレンズフードが固定されていることを特徴とするレンズ装置。
【発明の詳細な説明】
【技術分野】
【０００１】
本発明は、レンズ装置の被写体側に取付けられ、レンズ装置への不要な入射光を遮光するレンズフード及びそれを備えるレンズ装置に関するものである。
【背景技術】
【０００２】
カメラやビデオカメラなど撮像装置のレンズ装置は、レンズ装置を置いた際などに最前面のレンズを傷つけないよう保護するため、一般的に最前面のレンズよりも鏡筒の被写体側端を被写体側に突出させている。以下、最前面のレンズよりも被写体側に突出した鏡筒をレンズ保護鏡筒と呼ぶ。
【０００３】
従来から、このようなレンズ保護鏡筒に取付けられる光学アクセサリとして、レンズ装置への不要な入射光を遮光するレンズフードが知られている。
レンズフードの中には、撮影した映像に効果を追加する光学フィルタを内側に取付けられるものがある。さらに光学フィルタには、偏光フィルタやクロスフィルタのように、回転させることでさらなる効果を得られるものがある。
【０００４】
そのような光学フィルタをレンズフード内に取付けたまま、レンズ装置の有効光線外から回転操作するための構造として、特許文献１が提案されている。
レンズフードのレンズ装置への取付基準となるフード枠の内径とレンズ装置のレンズ保護鏡筒の外径は略同径であり、取付けの際にはまずフード枠をレンズ装置の前方から挿入する。次に、フード枠の後端がレンズ保護鏡筒の外径のフランジ部に当接したところで、フード枠にねじ込まれたフードつまみを締め付けると、フード枠とフードつまみとの間にレンズ保護鏡筒が挟まれる。それによりレンズ装置とレンズフードとが一体的に固定される。光学フィルタを取付ける回転リングはフード枠に対して回転自在に嵌装され、回転操作つまみによって外部から回転操作可能な構造になっている。
【０００５】
また、特許文献２では、フード枠を弾性材料で形成し、レンズ装置に装着する際に、可動部材（ロックネジと同等の機能）を突出位置に移動させることにより、フード枠を弾性変形させる。それによりフード枠内径に設けられた突起がレンズ保護鏡筒に設けられた溝に係合することで、レンズフードのレンズ装置への固定を強固にする方法が提案されている。
【先行技術文献】
【特許文献】
【０００６】
【特許文献１】特開平０６−１４８７２１号公報
【特許文献２】特開２０００−２６７１５３号公報
【発明の概要】
【発明が解決しようとする課題】
【０００７】
しかしながら、特許文献１の光学フィルタ回転構造を持つレンズフードのフード枠を特許文献２の弾性材料で形成すると、レンズフード固定時にレンズ装置に突き当たった固定部材の反力によりにフード枠が変形する。回転リングはフード枠に嵌装されるため、フード枠が変形すると、回転リングとフード枠の嵌合関係が悪くなり、回転リングの動作不良や、回転リングが変形することによる光学フィルタの取付け不良が発生する恐れがある。一般にフード枠を樹脂のような弾性部材で製作する目的はコスト削減であるため、回転リングの操作性の維持とコスト削減を両立させることが課題になっている。
【０００８】
そこで、本発明の目的は、例えば、回転リングの良好な操作性および安価の点で有利なレンズフードを提供することである。
【課題を解決するための手段】
【０００９】
上記目的を達成するために、本発明は、レンズ装置に着脱可能なレンズフードであって、第１の内径部および第２の内径部を備え、前記第１の内径部にはレンズ装置の先端が挿入可能であり、弾性材料により形成されたフード枠と、前記フード枠の前記第１の内径部の内周面の一部を前記レンズ装置の先端の外周面の一部に付勢して、前記レンズ装置の前記先端に前記フード枠を固定するフード固定手段と、前記フード枠の前記第２の内径部に回動可能に挿入された、光学フィルタが取付け可能な回転リングと、前記回転リングを前記第２の内径部に付勢する付勢手段と、を備え、前記レンズ装置の前記先端の外径と前記第１の内径部の内径との差よりも、前記第２の内径部の内径と前記回転リングの外径との差の方が大きい、ことを特徴とする。
【発明の効果】
【００１０】
本発明によれば、例えば、回転リングの良好な操作性および安価の点で有利なレンズフードを提供することができる。
【図面の簡単な説明】
【００１１】
【図１】本発明の第１の実施例のレンズフードの代表的な構成
【図２】本発明の第１の実施例のレンズフードにレンズ装置を挿入した状態での断面図
【図３】図２の状態のレンズフードを光軸方向から見た構成の一部を示す図
【図４】本発明の第１の実施例のレンズフードにレンズ装置を固定した状態での断面図
【図５】図４の状態のレンズフードを光軸方向から見た構成の一部を示す図
【図６】本発明の第２の実施例のレンズフードの代表的な構成
【図７】本発明の第２の実施例のレンズフードにレンズ装置を挿入した状態での断面図
【図８】本発明の第２の実施例のレンズフードにレンズ装置を固定した状態での断面図
【図９】図８の状態のレンズフードを光軸方向から見た構成の一部を示す図
【発明を実施するための形態】
【００１２】
以下に、本発明の好ましい実施の形態を、添付の図面に基づいて詳細に説明する。図１は、レンズ装置に着脱可能に取付けられる本発明のレンズフードの代表的な構成を示す図である。
【実施例１】
【００１３】
以下、図１から図５を参照して、本発明の第１の実施例によるレンズフードについて説明する。
図１には、本発明の第１の実施例のレンズフードの代表的な構成を示す。
【００１４】
レンズ装置１の被写体側先端には、外径部１ａとフランジ面１ｂが設けられる。外径部１ａには、位置決め溝１ｃが周方向に設けられ、位置決め溝１ｃは外径部１ａの一部を全周にわたって切り欠いた形状を備える。なお、本明細書内でのレンズフードの記載において、被写体側、像側とは、該レンズフードがレンズ装置の鏡筒に装着されたときの、レンズ装置の被写体側及び像側の方向を示すものとする。また、光軸方向は、装着されるレンズ装置の光軸方向を示すものとして記載する。
【００１５】
レンズフード２は、フード枠３（３ａ，３ｂ，３ｃ，３ｄ，３ｅ）、フード本体４、回転リング５、板ばね（付勢手段、第１の付勢部材）６、押さえ板７、ネジ８、フードつまみ９からなり、レンズフード２には光学フィルタ１０が着脱自在に装着される。
【００１６】
フード枠３は樹脂に代表される弾性材料により環状に形成され、第１の内径部３ａ、第１の内径部３ａの内周面の内径より大きい内径の内周面を有する第２の内径部３ｂが設けられる。第１の内径部３ａは第２の内径部３ｂより像側に位置する。第１の内径部３ａと第２の内径部３ｂの間には円周方向に長くフード枠３の物体側から像側に貫通する切り欠き３ｃが設けられる。また、第２の内径部３ｂの一部を径方向拡大側に切り欠いた凹部３ｄが設けられ、さらに第２の内径部３ｂより物体側の面にはネジ部３ｅが設けられる。
フード本体４はフード枠３に対して、接着や一体成型により一体的に接合される。
【００１７】
回転リング５はフード枠３の第２の内径部３ｂに対して、回動可能に被写体側から挿入される。また、回転リング５にはフィルタネジ５ａと、フィルタつまみ（操作部）５ｂが設けられる。フィルタつまみ５ｂは、回転リング５から像側に突出していて、回転リングをフード枠３に挿入するとフード枠３の切り欠き（開口部）３ｃを通してレンズフード２の像側の面（外周面）まで貫通する。
【００１８】
板ばね６はフード枠３の凹部３ｄに嵌め込まれ、回転リング５を径方向外側から付勢する。
【００１９】
押さえ板７は、回転リング５と板ばね６の光軸方向の移動を規制することで、回転リング５と板ばね６が被写体側に移動して脱落することを防止する。
ネジ８はフード枠３のネジ部３ｅに螺合し、押さえ板７をフード枠３に固定する。
【００２０】
フードつまみ（フード固定手段）９はフード枠３に螺合し、フード枠の略中心方向（内径方向）に向けて進退可能に構成されている。
【００２１】
光学フィルタ１０は回転リング５のフィルタネジ５ａにねじ込み固定され、フィルタつまみ５ｂの操作により、光軸周りに回転リング５と一体的に回転操作される。
【００２２】
図２はレンズフード２にはレンズ装置の被写体側の先端が挿入可能であり、レンズ装置１を挿入した時の断面を示す。
【００２３】
レンズ装置１の鏡筒の被写体側部分の外径部１ａをフード枠３の第１の内径部３ａに挿通し、レンズ装置１のフランジ面１ｂとフード枠３の像側の後端面が当接する。
【００２４】
この時、レンズ装置１の外径部１ａの外周面の外径とフード枠３の第１の内径部３ａ内周面の内径との間の差（直径の差）をＡとし、フード枠３の第２の内径部３ｂ内周面の内径と回転リング５の外周面の外径との間の差（直径の差）をＢとした時、ＢがＡより大きくなるような寸法関係になっている。
【００２５】
図３はこの時のレンズフード２を矢印Ｚから見た構成の一部を示す。
フード枠３の第２の内径部３ｂの一部を径方向拡大側に切り欠いて設けられている凹部３ｄは、周方向にフードつまみ９を挟んで略対称に２か所設けられ、凹部３ｄと回転リング５の間には板ばね６がそれぞれ挿入される。
【００２６】
一つの板ばね６が回転リング５を付勢する方向を矢印Ｃとすると、合力は矢印Ｃ’となり、第２の内径部３ｂのフードつまみ９と光軸を挟んで略反対側の面に向けて回転リング５を付勢する。
【００２７】
フードつまみ９を締めつけて、レンズ装置１にレンズフード２を固定すると、図４の状態になる。
【００２８】
フードつまみ９の軸力によりレンズ装置１に対してレンズフード２が片寄せされ、さらに弾性材料で形成されているフード枠３が変形することで、フードつまみ９の直下に元の径差Ａより大きな隙間Ｄが発生する。
図５にこの時のレンズフード２を矢印Ｚから見た構成の一部を示す。
【００２９】
フードつまみ９を操作してレンズ装置１にレンズフード２を固定すると、フードつまみ９の先端９ａはレンズ装置１の位置決め溝１ｃの底面に突き当たりながら、さらに締め込まれる。フード枠３はフードつまみ９の力で変形するが、範囲Ｅ内ではレンズ装置１の外径部１ａの形に沿って変形する。それ以外の範囲では外径部１ａから離間する。範囲Ｅ内のフード枠３の変形は、外径部１ａのために、元の径差Ａ以上に大きく変形することは無く、取付けによる変形後も回転リング５の外径と第２の内径部３ｂとの間には径差ＡとＢの差だけの隙間が残る。さらに、回転リング５は板ばね６によって矢印Ｃの合力である矢印Ｃ’の方向に付勢されているため、回転リング５はフード枠３の変形が外径部１ａによって規制されている面に向けて付勢され、ガタつきが軽減される。
【００３０】
以上説明したように、本発明のレンズフードは、樹脂製のフード枠であっても、適正な径差を設けながらバネでガタつきを軽減するため、回転リングの動作が変形により阻害されることが無く、滑らかに回転することが可能になる。
【００３１】
本実施例では回転リング５の付勢手段として板ばね６を用いて説明したが、コイルばねやゴムのような弾性部材であっても効果は同じである。
【００３２】
また、板ばね６をフードつまみ９の位相を挟んで２か所に構成したが、フード枠３の変形がレンズ装置１の外径部１ａによって規制される範囲Ｅ内に向けての付勢であれば、方向と個数は問わない。
【００３３】
本実施例ではフードつまみ９はフード枠３に螺合する螺合構造を有し、先端９ａが位置決め溝１ｃに当接することで、レンズフードの抜け止めの役割を果たしているが、フードつまみ９が直接位置決め溝１ｃに当接せず、別の部品を介して抜け止めを行っても効果は同じである。フード枠３の第１の内径部３ａの内周面の一部をレンズ装置１の先端の外周面の一部に付勢して、レンズ装置１の先端にフード枠３を固定する手段であれば、レンズフードをレンズ装置の先端に装着し固定する手段として例示したフードつまみ９に限定されることはない。
【００３４】
さらに、固定による変形後の隙間（Ｂ−Ａ）の量をフード枠３と回転リング５の温度変化時の寸法変化の差より大きく確保しておくことで、線膨張の異なる部品を組み合わせたレンズフードであっても良好な操作感を常に保つことが可能になる。
【実施例２】
【００３５】
以下、図６から図９を参照して、本発明の第２の実施例による、レンズフードについて説明する。
図６には、本発明の第２の実施例のレンズフードの代表的な構成を示す。
レンズ装置１の構成は実施例１と同じであるため省略する。
【００３６】
レンズフード１１は、フード枠１２（１２ａ，１２ｂ，１２ｃ，１２ｄ，１２ｅ）、フード本体１３、回転リング１４、ウェーブワッシャ（付勢手段、第２の付勢部材）１５、押さえ板１６、ネジ１７、フードつまみ１８からなり、レンズフード１１には光学フィルタ１０が着脱自在に装着される。
【００３７】
フード枠１２は樹脂に代表される弾性材料により形成され、第１の内径部１２ａ、第１の内径部１２ａより大きい第２の内径部１２ｂと、像側に向けて径が縮小する第１テーパー面１２ｃが設けられる。第１の内径部１２ａは第２の内径部１２ｂより像側に位置する。第１の内径部１２ａと第２の内径部１２ｂの間には円周方向に長くフード枠１２の物体側から像側に貫通する切り欠き１２ｄが設けられる。さらに第２の内径部１２ｂより物体側の面にはネジ部１２ｅが設けられる。
フード本体１３はフード枠１２に対して、接着や一体成型により一体的に接合される。
【００３８】
回転リング１４はフード枠１２の第２の内径部１２ｂに対して、回動可能に被写体側から挿入される。また、回転リング１４にはフィルタネジ１４ａと、フィルタつまみ１４ｂと、フード枠１２の第１テーパー面１２ｃと略平行な第２テーパー面１４ｃと、像側にはフランジ面１４ｄが設けられる。フィルタつまみ１４ｂは、回転リング１４から像側に突き出ていて、回転リング１４をフード枠１２に挿入するとフード枠１２の切り欠き１２ｄを通してレンズフード１１の像側の面まで貫通する。
【００３９】
ウェーブワッシャ１５は回転リング１４のフランジ面１４ｄの被写体側に配置され、押さえ板１６によって圧縮され、回転リング１４に光軸方向の付勢を行う。
【００４０】
ネジ１７はフード枠１２のネジ部１２ｅに螺合し、押さえ板１６をフード枠１２に固定する。
フードつまみ１８はフード枠１２に螺合し、フード枠の略中心方向に向けて進退可能に構成されている。
【００４１】
光学フィルタ１０は回転リング１４のフィルタネジ１４ａにねじ込み固定され、フィルタつまみ１４ｂの操作により、光軸周りに回転リング１４と一体的に回転操作される。
【００４２】
図７はレンズフード１１にレンズ装置１を挿入した時の断面を示す。
レンズ装置１の外径部１ａをフード枠１２の第１の内径部１２ａに挿通し、レンズ装置１のフランジ面１ｂとフード枠１２の像側の後端面が当接する。
【００４３】
この時、レンズ装置１の外径部１ａとフード枠１２の第１の内径部１２ａとの間の径差をＦとし、フード枠１２の第２の内径部１２ｂと回転リング１４の外径との間の径差をＧとした時、ＧがＦより大きくなるような寸法関係になっている。
【００４４】
回転リング１４はウェーブワッシャ１５により付勢され、フード枠１２の第１テーパー面１２ｃと回転リング１４の第２テーパー面１４ｃとが接触している。
【００４５】
フードつまみ１８を締めつけて、レンズ装置１にレンズフード１１を固定すると、図８の状態になる。
【００４６】
フードつまみ１８の軸力によりレンズ装置１に対してレンズフード１１が片寄され、さらにフード枠１２が変形することで、フードつまみ１８の直下に元の径差Ｆより大きな隙間Ｈが発生する。
図９にこの時のレンズフード１１を矢印Ｚから見た構成の一部を示す。
【００４７】
フードつまみ１８を操作すると、フードつまみ１８の先端１８ａはレンズ装置１の位置決め溝１ｃの底面に突き当たりながら、さらに締め込まれる。フード枠１２はフードつまみ１８の力で変形するが、範囲Ｉ内ではレンズ装置１の外径部１ａの形に沿って変形する。それ以外の範囲では外径部１ａから離間する。範囲I内でのフード枠１２の変形は、外径部１ａのために、元の径差Ｆ以上に大きく変形することは無く、取付けによる変形後も回転リング１４の外径と第２の内径部１２ｂとの間には径差ＧとＦの差だけの隙間が残る。さらに、回転リング１４はウェーブワッシャ１５によって第１テーパー面１２ｃと第２テーパー面１４ｃが接する方向に付勢されている。そのため、回転リング１４の第２テーパー面１４ｃは範囲Ｉの中で第１テーパー面１２ｃと接触する。
【００４８】
以上説明したように、本発明のレンズフードは、樹脂製のフード枠であっても、適正な径差を設けながらウェーブワッシャでガタつきを軽減するため、回転リングの動作が変形により阻害されることが無く、滑らかに回転することが可能になる。
【００４９】
また、フード枠と回転リングとがテーパー面同士で接触するため、レンズフードをレンズ装置に固定した際には、回転リングの回転中心がレンズ装置の光軸に近づくようになる。
【００５０】
それにより、回転リングに装着される光学フィルタのガラスが平面で無く、曲率をもつ少なくとも１枚のレンズによって構成される場合において、光学フィルタの光軸とレンズ装置の光軸を近づけることにより高い光学性能を維持することが可能になる。
【００５１】
本実施例では回転リング１４の付勢手段としてウェーブワッシャ１５を用いて説明したが、コイルばねやゴムのような弾性部材であっても効果は同じである。
【００５２】
本実施例ではフードつまみ１８の先端１８ａが位置決め溝１ｃに当接することで、レンズフードの抜け止めの役割を果たしているが、フードつまみ１８が直接位置決め溝１ｃに当接せず、別の部品を介して抜け止めを行っても効果は同じである。
【００５３】
上記の構成を有するレンズフードにより、樹脂製のフード枠であっても、適正な径差を設けながらバネでガタつきを軽減するため、回転リングの動作が変形により阻害されることが無く、滑らかで良好な回転操作が可能なレンズフードを提供することができる。また、本発明のレンズフードを備えるレンズ装置により、本発明のレンズフードの効果を享受し、良好な撮影状態を維持するレンズ装置を実現することができる。
【００５４】
以上、本発明の好ましい実施形態について説明したが、本発明はこれらの実施形態に限定されず、その要旨の範囲内で種々の変形及び変更が可能である。
【符号の説明】
【００５５】
２  ：  レンズフード
３  ：  フード枠
３ａ：  第１の内径部
３ｂ：  第２の内径部
５  ：  回転リング
６  ：  板ばね（付勢手段、第１の付勢部材）
９  ：  フードつまみ（フード固定手段）
１０：  光学フィルタ
１５：ウェーブワッシャ（付勢手段、第２の付勢部材）
【図１】
0006484060.tif 000002
【図２】
0006484060.tif 000003
【図３】
0006484060.tif 000004
【図４】
0006484060.tif 000005
【図５】
0006484060.tif 000006
【図６】
0006484060.tif 000007
【図７】
0006484060.tif 000008
【図８】
0006484060.tif 000009
【図９】
0006484060.tif 000010